(57)【特許請求の範囲】
【請求項１】
所定の無線タグを備える無線呼出ボタンと、前記無線呼出ボタンが備える無線タグからタグ情報を読取る無線タグリーダと、１以上の前記無線呼出ボタンを収容するインターホン子機と、１以上の前記インターホン子機を収容するインターホン親機と、を含むインターホンシステムであって、
前記無線呼出ボタンは、自無線呼出ボタンが操作された場合に第一の無線通信手段を用いて自無線呼出ボタンを識別する固有ＩＤを含む呼出要求信号を、自無線呼出ボタンを収容する前記インターホン子機のいずれかへ送信する呼出要求信号送信手段と、前記無線タグリーダからの要求に応じて第二の無線通信手段を用いて前記固有ＩＤを通知する固有ＩＤ通知手段と、を有し、
前記無線タグリーダは、前記第二の無線通信手段を用いて定期的または非定期的に前記無線呼出ボタンに対して固有ＩＤ読取要求信号を送信し、自無線タグリーダの近傍に存在している前記無線呼出ボタンが前記第二の無線通信手段を用いて通知してくる前記固有ＩＤを、第三の通信手段を用いて所定のインターホン子機へ転送し、固有ＩＤの一時記憶を要求する固有ＩＤ転送手段を有し、
前記インターホン子機は、自インターホン子機の登録操作によって自インターホン子機が収容する前記無線呼出ボタンのいずれかの固有ＩＤを予め記憶する固有ＩＤ記憶手段と、前記無線タグリーダからの固有ＩＤ一時記憶要求により転送されてくる固有ＩＤを、一時的に記憶する固有ＩＤ一時記憶手段と、前記無線呼出ボタンが送信した呼出要求信号に含まれている固有ＩＤを受信する固有ＩＤ受信手段と、を有し、前記受信した固有ＩＤが前記固有ＩＤ記憶手段または前記固有ＩＤ一時記憶手段に記憶されている固有ＩＤのいずれかと一致した場合に、前記インターホン親機へ当該固有ＩＤの無線呼出ボタンから呼出があった旨を通知することを特徴とする無線タグ連動インターホンシステム。
【請求項２】
請求項１に記載のインターホンシステムにおいて、
前記インターホン子機が前記無線タグリーダからの固有ＩＤ一時記憶要求を受け付けて、無線呼出ボタンの利用登録が完了したことを、自インターホン子機または無線タグリーダから表示することを特徴とする無線タグ連動インターホンシステム。
【請求項３】
請求項１および請求項２に記載のインターホンシステムにおいて、
前記インターホン子機の固有ＩＤ一時記憶手段は、前記一時記憶した固有ＩＤを含む一時記憶要求を所定の期間受信しなかったならば、前記一時記憶した固有ＩＤの消去を実施することを特徴とする無線タグ連動インターホンシステム。
【発明の詳細な説明】
【技術分野】
【０００１】
本発明は、介護施設や集合住宅、医療施設などに設置される無線呼出ボタンとインターホン子機およびインターホン制御装置から構成されるインターホンシステムに関する。
【背景技術】
【０００２】
従来から、この種のインターホンシステム(ナースコール装置)において、固有のＩＤを持つ無線呼出ボタンとナースコール子機を連携させる手段として、無線呼出ボタンが定期的に自固有ＩＤを発信し、ナースコール子機において受信された電波強度が最も強い１台の無線呼出ボタンをナースコール子機と連携する無線呼出ボタンとして識別(登録)する技術が特許文献１で示されている。
【０００３】
しかしながら、特許文献１に記載されているような技術では、電波強度が最も高い、すなわちナースコール子機に最も近い無線呼出ボタンのみが選択されるため、食堂やホールや廊下など、無線呼出ボタンを所持する複数の利用者が集まる場所において、受信装置となるナースコール子機１台を共用することができず、また居室に戻った場合など、移動先のナースコール子機に自無線呼出ボタンが登録されたかすぐに確認できないといった不都合があった。
【先行技術文献】
【特許文献】
【０００４】
【特許文献１】特開２０１４−１４４２０８号公報
【発明の概要】
【発明が解決しようとする課題】
【０００５】
そこで、本発明の課題は、それぞれの場所に設置された受信装置(インターホン子機)に対して、利用者や運用者による登録変更操作を必要とせず、固有のＩＤを持つ複数の無線呼出ボタンを対応付けると共に、インターホン子機に自無線呼出ボタンが登録されたことを即時に通知することを実現することにある。
【課題を解決するための手段】
【０００６】
上記課題を解決するために、本発明は、所定の無線タグを備える無線呼出ボタンと、前記無線呼出ボタンが備える無線タグからタグ情報を読取る無線タグリーダと、１以上の前記無線呼出ボタンを収容するインターホン子機と、１以上の前記インターホン子機を収容するインターホン親機と、を含むインターホンシステムであって、前記無線呼出ボタンは、自無線呼出ボタンが操作された場合に第一の無線通信手段を用いて自無線呼出ボタンを識別する固有ＩＤを含む呼出要求信号を、自無線呼出ボタンを収容する前記インターホン子機のいずれかへ送信する呼出要求信号送信手段と、前記無線タグリーダからの要求に応じて第二の無線通信手段を用いて前記固有ＩＤを通知する固有ＩＤ通知手段と、を有し、前記無線タグリーダは、前記第二の無線通信手段を用いて定期的または非定期的に前記無線呼出ボタンに対して固有ＩＤ読取要求信号を送信し、自無線タグリーダの近傍に存在している前記無線呼出ボタンが前記第二の無線通信手段を用いて通知してくる前記固有ＩＤを、第三の通信手段を用いて所定のインターホン子機へ転送し、固有ＩＤの一時記憶を要求する固有ＩＤ転送手段を有し、前記インターホン子機は、自インターホン子機の登録操作によって自インターホン子機が収容する前記無線呼出ボタンのいずれかの固有ＩＤを予め記憶する固有ＩＤ記憶手段と、前記無線タグリーダからの固有ＩＤ一時記憶要求により転送されてくる固有ＩＤを、一時的に記憶する固有ＩＤ一時記憶手段と、前記無線呼出ボタンが送信した呼出要求信号に含まれている固有ＩＤを受信する固有ＩＤ受信手段と、を有し、前記受信した固有ＩＤが前記固有ＩＤ記憶手段または前記固有ＩＤ一時記憶手段に記憶されている固有ＩＤのいずれかと一致した場合に、前記インターホン親機へ当該固有ＩＤの無線呼出ボタンから呼出があった旨を通知することを特徴とする。
【発明の効果】
【０００７】
本発明によれば、無線タグリーダが第二の無線通信手段を用いて無線呼出ボタンの固有ＩＤを受信し、第三の通信手段を用いて受信した固有ＩＤを、所定のインターホン子機に転送し、前記インターホン子機は受信した固有ＩＤを自インターホン子機に属する無線呼出ボタンとして一時記憶することによって無線呼出ボタンの利用登録ができ、また、一時登録した無線呼出ボタンが所定の期間利用がなければ自動で登録を解除するため、利用者や運用者による登録変更操作を必要とせず、固有のＩＤを持つ複数の無線呼出ボタンを対応付けることが可能となる。
【０００８】
また、第三の通信手段を用いてインターホン子機から無線呼出ボタンが登録されたことを無線タグリーダに通知し、無線タグリーダの備える表示部よりトーン鳴動やランプ点灯をすることによって利用登録完了を利用者に明示することで、インターホン子機に帰属できたか否かに係る不安を無線呼出ボタンの利用者に抱かせないようにできる。
【図面の簡単な説明】
【０００９】
【図１】本発明によるインターホンシステムのブロック構成図である。
【図２】本発明による無線タグリーダの無線タグリーダ制御部の動作フローチャートである。
【図３】本発明によるインターホン子機の子機制御部における固有ＩＤ一時記憶に関する動作フローチャートである。
【図４】本発明によるインターホン子機の子機制御部における固有ＩＤ消去に関する動作フローチャートである。
【図５】本発明によるインターホン子機の子機制御部における無線呼出要求信号受信時の動作フローチャートである。
【発明を実施するための形態】
【００１０】
以下、図面を用いて本発明の実施例を説明する。
但し、インターホン子機３を操作して、無線呼出ボタンの固有ＩＤ記憶手段を起動することにより無線呼出ボタンの固有ＩＤをＩＤ記憶部３６に記憶および消去する動作は、従来と同様であるため説明を省略する。以下は、本発明による無線タグリーダ２からの固有ＩＤ一時記憶要求により、ＩＤ一時記憶部３７に固有ＩＤの記憶を行う固有ＩＤ一時記憶動作、および所定の期間一時登録した無線呼出ボタンの利用が無かった場合の、一時記憶部３７からの固有ＩＤ消去動作の制御について説明する。
【００１１】
図１は、本発明によるインターホンシステムのブロック構成図である。
【００１２】
無線呼出ボタン１、１ａ、１ｂは、呼出ボタン１１と、インターホン子機３に対して自無線呼出ボタンの固有ＩＤを含む呼出要求信号を送出する無線情報送信部１２と、無線タグリーダ２より送出される無線タグ情報読取要求信号を受信して、自無線呼出ボタンの固有ＩＤを含む無線情報を発信する無線タグ１３と、呼出ボタン１１の運動エネルギーによって前記無線情報送信部１２を駆動するための電力を発生させる発電部１４により構成される。
【００１３】
無線タグリーダ２は、無線呼出ボタン１、１ａ、１ｂが備える無線タグの固有ＩＤ情報読取要求を行う信号の送出を行い、前記無線タグから送信された信号を受信して固有ＩＤを読み出す無線タグ情報読取部２１と、受信データの解析や各入出力制御などを行う無線タグリーダ制御部２２と、インターホン子機への固有ＩＤ一時記憶要求の送信および固有ＩＤ一時記憶結果の受信を行うＩＤ一時記憶要求部２３と、無線呼出ボタンの固有ＩＤ一時記憶が完了した際に、当該無線呼出ボタンが利用登録され、使用可能となったことを明示する表示部２４により構成される。
【００１４】
無線タグリーダ２の無線タグリーダ制御部２２は、所定の周期で無線タグ情報読取部２１に対して固有ＩＤ情報読取要求信号の送出を指示し、無線タグ情報信号の受信を検知した場合は、前記受信した情報より無線呼出ボタンの固有ＩＤ抽出を行い、前記抽出した固有ＩＤを、ＩＤ一時記憶要求部２３を介して自無線タグリーダと連動するインターホン子機に対して固有ＩＤの一時記憶を指示する。
【００１５】
インターホン子機３、３ａ、３ｂは、前記無線呼出ボタン１、１ａ、１ｂからの呼出要求信号を受信する無線情報受信部３１と、自インターホン子機の各種動作の管理や各入出力制御を処理する子機制御部３２と、インターホン親機４と接続する親機インタフェース部３３と、マイクとスピーカで構成され通話音声などを入出力する音声入出力部３４と、前記無線タグリーダ２からの固有ＩＤ一時記憶要求を受け付けて子機制御部３２へ通知し、処理結果を無線タグリーダ２へ通知するＩＤ一時記憶要求受付部３５と、従来の利用登録動作により自インターホン子機を利用する１以上の無線呼出ボタンの固有ＩＤ情報を記憶するＩＤ記憶部３６と、本発明による無線タグリーダと連動する無線呼出ボタンの利用登録動作により、１以上の無線呼出ボタンの固有ＩＤ情報を一時記録するＩＤ一時記憶部３７と、自インターホン子機の動作状態をランプや可聴信号等によって表示する表示部３８とにより構成される。
【００１６】
インターホン子機３の子機制御部３２は、無線情報受信部３１によって無線呼出ボタン１の無線情報送信部１２が送信した固有ＩＤを含む呼出要求信号の受信を検知すると、前記受信した呼出要求信号から無線呼出ボタンの固有ＩＤを抽出し、前記抽出した固有ＩＤがＩＤ記憶部３６、またはＩＤ一時記憶部３７の記憶内容と一致したならば、インターホン親機４を介して応対者端末５、５ａ、５ｂのいずれか、または全てを呼び出し、応対者端末の応答後、表示部３８を用いて通話状態であることを表示すると共に、音声入出力部３４に指示して応対者端末５と自インターホン子機３間の通話を有効とする。
【００１７】
また、子機制御部３２は、ＩＤ一時記憶要求受付部３５を介して無線タグリーダ２より固有ＩＤ一時記憶要求を受け付けると、受け付けた固有ＩＤをＩＤ一時記憶部３７へ記憶を行い、ＩＤ一時記憶要求受付部３５を介して無線タグリーダ２に対して記憶結果の通知を行うとともに、親機インタフェース部３３を介して、要求したＩＤの一時記憶を行った事を示す情報を通知する。
【００１８】
また、一時記憶済の固有ＩＤに対して所定の期間無線タグ情報の受信が無いものがあれば、ＩＤ一時記憶部３７に記憶されている当該固有ＩＤの消去を行う。
【００１９】
インターホン親機４は、前記インターホン子機３と接続する子機インタフェース部４１と、自インターホン親機の各部を制御する親機制御部４２と、応対者端末５、５ａ、５ｂの呼出、または応対者端末５、５ａ、５ｂからの呼出受付を行う応対者端末インタフェース部４３と、自インターホン親機４およびインターホン子機３および無線タグリーダ２および応対者端末５、５ａ、５ｂのそれぞれに対して電源供給を行う電源部４４より構成され、インターホン親機３の親機制御部４２は、子機インタフェース部４１によってインターホン子機２からの呼出を検知すると、所定の呼び先の応対者端末（５、５ａ、５ｂのいずれか、または全て）を決定し、通話路を接続することでインターホン子機２と応対者端末間の通話を有効とする。
【００２０】
尚、図示しないが、本実施例では、無線呼出ボタンから呼出が行われた際に、まず応対者端末５を呼出し、応対者端末５が使用中なら５ａを、更に５ａが使用中なら５ｂを呼び出すこととする。
【００２１】
また、インターホン親機４は、インターホン子機から無線呼出ボタンによる応対者端末の呼出、または無線呼出ボタンの固有ＩＤ一時記憶を行った際の通知を受信時、インターホン子機の接続ポートを特定して、前記接続ポートに対応する予め記憶したインターホン子機の所在区分に係わる情報を、呼出先の応対者端末に通知する。
【００２２】
応対者端末５は、インターホン子機３からの呼出をインターホン親機４経由で受け付け、応答後、インターホン子機３と通話が可能となる。尚、呼出、通話は応対者端末の終話操作、またはインターホン子機の復旧操作によって終了することができる。
【００２３】
また、応対者端末５は、無線呼出ボタン１、１ａ、１ｂのいずれかの固有ＩＤがインターホン子機３に一時記憶された際に、一時記憶したＩＤとインターホン子機の所在区分に係わる情報の通知をインターホン親機４経由で受信すると、応対者に通知し、固有ＩＤを一時記憶した無線呼出ボタンの利用者の所在を応対者に知らせる。
【００２４】
図２は、本発明による無線タグリーダ制御部２２が、無線タグ情報読取部２１を介して所定周期で前記情報読取要求信号を送出していることを示す動作フローチャートである。尚、本フローチャートの処理は、無線タグリーダ制御部２２において、所定の時間毎に（本実施例では約１秒間隔で）で実行されるものとする。
【００２５】
本処理が起動されると（Ｓ２０００）、無線タグリーダ制御部２２は、無線タグ情報読取部２１に指示して、無線タグを備える無線呼出ボタンに対して無線タグの情報読取要求信号を送出する（Ｓ２００１）。その後、無線タグ情報読取部２１によって近接する無線呼出ボタン１または１ａまたは１ｂからの無線情報を受信し、前記受信した無線信号より無線タグのＩＤの読み出しを検知すると（Ｓ２０１０，Ｙ）、ＩＤ一時記憶要求部２３に指示して自無線タグリーダと連携するインターホン子機に対して前記読み出したＩＤの一時記憶要求を送信する（Ｓ２０１１）。
【００２６】
次に、インターホン子機３から受信した一時記憶要求に対する処理結果が「記憶完了」であれば（Ｓ２０２０，Ｙ）、表示部２４よりＩＤ一時記憶完了を示すランプ表示と音声鳴動を行い（Ｓ２０２１）、利用登録完了を無線呼出ボタンの利用者に通知した後、処理を終了する。
【００２７】
また固有ＩＤ一時記憶要求に対する処理結果が「記憶失敗」であれば（Ｓ２０３０，Ｙ）、表示部２４よりＩＤ一時記憶失敗を示すランプ表示と音声鳴動を行った後（Ｓ２０３１）、処理を終了する。また処理結果が「記憶済」であった場合（Ｓ２０３０，Ｎ）は、処理を終了する。
【００２８】
尚、ステップ２０１０において無線タグのＩＤの読み出しを検知しなかった場合（Ｓ２０１０，Ｎ）は、処理を終了する。
【００２９】
図３は、本発明によるインターホン子機３の子機制御部３２が、前記無線タグリーダ２からのＩＤ一時記憶要求の受信を検知した場合の動作フローチャートである。尚、本処理は、インターホン子機に電源が投入されることによって起動され、インターホン子機動作中は本処理が継続される。
【００３０】
ＩＤ一時記憶要求受付部３５によって無線タグリーダ２からのＩＤ一時記憶要求を受信した場合（Ｓ３０１０，Ｙ）、前記受信した一時記憶要求から無線タグ１３のＩＤを抽出する（Ｓ３０１１）。ここで、前記抽出したＩＤに対応する圏外監視タイマを起動（リセット）する（Ｓ３０１２）（本実施例では約１５分）。抽出したＩＤがＩＤ一時記憶部３７に記憶済のものであれば、ここで抽出したＩＤに対応した圏外監視タイマがリセットされることとなる。
【００３１】
尚、図示しないが、ここで起動（リセット）を行う圏外監視タイマには、インターホン子機の所在区分に係わる情報をインターホン親機４より取得、またはインターホン子機の操作による入力を行い、所在区分に対応するインターホン子機設置場所毎に別々の時間を設定できるように構成してもよい（例：共有スペースは１時間、居室は６時間、など）。
【００３２】
前記抽出したＩＤがＩＤ記憶部３６、またはＩＤ一時記憶部３７に記憶済のものであれば（Ｓ３０２０，Ｙ）、ＩＤ一時記憶要求受付部３５を介して、ＩＤ一時記憶要求を送信した無線タグリーダ２に、一時記憶要求結果「記憶済」を送信する（Ｓ３０２１）。
【００３３】
また、抽出したＩＤがＩＤ記憶部３６、またはＩＤ一時記憶部３７に記憶済のものでなければ（Ｓ３０２０，Ｎ）、インターホン子機のＩＤ一時記憶部３７へ前記ＩＤを一時記憶し（Ｓ３０２２）、記憶が成功すれば（Ｓ３０３０，Ｙ）、親機インタフェース部３３を介して、インターホン親機４および予め対応づけられた応対者端末に、一時記憶したＩＤの情報、無線呼出ボタンがインターホン子機に登録された、または登録が変更されたことを示す情報の通知を行う（Ｓ３０３１）。
【００３４】
次に、ＩＤ一時記憶要求受付部３５を介して登録要求を送信した無線タグリーダ２に、登録要求結果「一時記憶完了」を送信する（Ｓ３０３２）。このときＩＤの一時記憶に失敗した場合には（Ｓ３０３０，Ｎ）、ＩＤ一時記憶要求を送信した無線タグリーダに、一時記憶要求結果「一時記憶失敗」を送信する（Ｓ３０３３）。
【００３５】
図４は、本発明によるインターホン子機３の子機制御部３２が、自インターホン子機の電源投入による起動後より所定の周期にて実行する、一時記憶済のＩＤ消去管理処理のフローチャートである。尚、本フローチャートの処理は、インターホン子機３の子機制御部３２において、所定の時間毎に（本実施例では約１分間隔で）実行されるものとする。
【００３６】
インターホン子機３のＩＤ一時記憶部３７にＩＤが一つでも記憶されている場合（Ｓ４０１０，Ｙ）、ＩＤ一時記憶部３７より記憶されているＩＤを抽出し（Ｓ４０１１）、抽出したＩＤに対応する、Ｓ３０１２により起動またはリセットされた圏外監視タイマをカウントする（Ｓ４０１２）。前記圏外タイマカウントが所定の時間（本実施例では約１５分）満了した場合（Ｓ４０２０，Ｙ）は、当該ＩＤを持つ無線呼出ボタンの利用者はインターホン子機の近隣に居ないと判断し、前記抽出したＩＤをＩＤ一時記憶部３７から消去する（Ｓ４０２１）。
【００３７】
また、所定の時間内に無線タグリーダ２より、抽出したＩＤに対するＩＤ一時記憶要求を受け付けている場合（図３のステップ３０３０ａで起動したタイマが満了していない場合）は（Ｓ４０２１，Ｙ）、当該ＩＤを持つ無線呼出ボタンの利用者が引き続き利用登録したインターホン子機の近隣にいると判断し、消去処理をスキップし、ステップ４０３０に進む。
【００３８】
またステップ４０２１でＩＤの消去完了後、または消去処理のスキップ後は、ＩＤ一時記憶部３７に先に処理したＩＤ以外の一時記憶したＩＤがあるか確認し、他の一時記憶済みのＩＤがあるならば（Ｓ４０３０，Ｙ）ＩＤ一時記憶部３７より一時記憶されているＩＤを抽出し（Ｓ４０１１）、消去判定（Ｓ４０２０）を行う。またＩＤ一時記憶部に一時記憶済のＩＤが一つも無かった場合（Ｓ４０１０，Ｎ）、または全ての一時記憶済ＩＤの確認が完了した場合（Ｓ４０３０，Ｎ）、本ＩＤ消去管理処理を終了する。
【００３９】
図５は、本発明によるインターホン子機３のインターホン子機制御部３２が、無線呼出ボタン１からの無線呼出要求信号の受信を検知した場合の動作フローチャートである。
【００４０】
待機状態（Ｓ５０００）において、インターホン子機３の無線呼出情報受信部３１が、無線呼出ボタン１からの無線呼出要求信号を受信した場合（Ｓ５０１０、Ｙ）、前記受信した無線呼出要求信号から無線呼出ボタン１のＩＤを抽出し（Ｓ５０１１）、前記抽出したＩＤがインターホン子機３のＩＤ一時記憶部３６、またはＩＤ一時記憶部３７へ記憶済みのものであれば（Ｓ５０２０，Ｙ）、親機インタフェース部３３を介してインターホン親機４に前記抽出したＩＤ情報を含む応対者端末の呼出要求を送出する（Ｓ５０２１）。
【００４１】
このように、本発明におけるインターホンシステムでは、無線呼出ボタン１に具備した無線タグ１３、無線タグリーダ２、インターホン子機３を連携することで、無線呼出ボタン１の利用者が特別な操作を行うことなく、インターホン子機３に一時利用登録を行うことができ、無線タグリーダ２に具備した表示部２４より一時登録結果がすぐに表示されることで、本インターホン装置の利用者に無線呼出ボタンの一時登録できたかどうかの不安を抱かせることもなく、また一時登録の際にインターホン親機を介して担当の応対者へ登録場所の通知を行うことで、応対者が無線呼出ボタン利用者の居場所を常に把握することが可能となっている。
【００４２】
尚、インターホン親機４は、複数のインターホン子機３を収容できるよう構成してもよい。またインターホン親機４は、ボタン電話主装置とそれに付随する内線端末で構成してもよい。
【００４３】
尚、インターホン親機４において、無線呼出ボタンの利用者に対応する担当応対者をあらかじめ定めておき、無線呼出ボタンの一時登録報知時、または無線呼出ボタン押下での呼出時、要求に含まれる固有ＩＤから担当応対者の持つ応対者端末のみを呼び出すよう構成してもよい。
【００４４】
尚、インターホン親機４は、無線呼出ボタン１、１ａ、１ｂのＩＤと、それぞれのＩＤに対応する無線呼出ボタンの利用者の名称や要支援レベル等の利用者情報と対応付けて記憶しておき、無線呼出ボタン押下によって対応する応対者端末呼出時に、前記記憶した利用者情報を通知するよう構成してもよい。
【符号の説明】
【００４５】
１  無線呼出ボタン
２  無線タグリーダ
３  インターホン子機
４  インターホン親機
５  応対者端末
１１  呼出ボタン
１２  無線情報送信部
１３  無線タグ
１４  発電部
２１  無線タグ情報読取部
２２  無線タグリーダ制御部
２３  ＩＤ一時記憶要求部
２４  表示部
３１  無線呼出情報受信部
３２  子機制御部
３３  親機インタフェース部
３４  音声入出力部
３５  ＩＤ一時記憶要求受付部
３６  ＩＤ記憶部
３７  ＩＤ一時記憶部
３８  表示部
４１  子機インタフェース部
４２  親機制御部
４３  応対者端末インタフェース部
４４  電源部
【図１】
0006458642.tif 000002
【図２】
0006458642.tif 000003
【図３】
0006458642.tif 000004
【図４】
0006458642.tif 000005
【図５】
0006458642.tif 000006